(57)【要約】【課題】足場ユニットを用いて吊足場を構築する際の施工性を向上する。【解決手段】全ての小梁を掛け渡す前に、揚重機により鉄骨柱２１及び大梁２２Ａ，２２Ｂを建て込み、揚重機により複数の足場板をユニット化した足場ユニット１０を揚重し、建て込んだ大梁２２Ａ、２２Ｂに足場ユニット１０を吊り下げ、掛け渡していない小梁を大梁２２Ａ、２２Ｂ間に取り付ける。【選択図】図５
2009084920.tif 000002
【特許請求の範囲】
【請求項１】
鉄骨柱と、前記鉄骨柱間に掛け渡された大梁と、前記大梁間に掛け渡された小梁とを備えた鉄骨造の柱梁架構を構築する鉄骨建方方法であって、
揚重機により前記鉄骨柱及び前記大梁を建て込む柱大梁建込工程と、
揚重機により複数の足場板をユニット化した足場ユニットを揚重し、前記建て込んだ大梁に前記足場ユニットを吊り下る足場ユニット吊下工程と、
前記小梁を前記大梁間に掛け渡す小梁設置工程と、を備えることを特徴とする鉄骨建方方法。
【請求項２】
鉄骨柱と、前記鉄骨柱間に掛け渡された大梁と、前記大梁間に掛け渡された小梁とを備えた鉄骨造の柱梁架構を構築する鉄骨建方方法であって、
揚重機により前記鉄骨柱及び前記大梁を建て込む柱大梁建込工程と、
揚重機により一部の前記小梁を前記大梁間に掛け渡す先行小梁設置工程と、
揚重機により複数の足場板をユニット化した足場ユニットを揚重し、前記建て込んだ大梁に前記足場ユニットを吊り下る足場ユニット吊下工程と、
残りの前記小梁を前記大梁間に掛け渡す小梁設置工程と、を備えることを特徴とする鉄骨建方方法。
【請求項３】
前記足場ユニット吊下工程では、
前記小梁設置工程で掛け渡す前記小梁を前記足場板上に載せた状態で前記足場ユニットを揚重することを特徴とする請求項１又は２記載の鉄骨建方方法。
【請求項４】
前記小梁設置工程の後に前記足場ユニット上で設備工事を行う設備工事工程を備え、
前記足場ユニット吊下工程では、前記設備工事工程において用いられる設備材料を、前記足場板上に載せた状態で前記足場ユニットを揚重することを特徴とする請求項１から３のうち何れかに記載の鉄骨建方方法。
【請求項５】
前記足場ユニットは、当該足場ユニット全体を下方から覆うようにネットが取り付けられていることを特徴とする請求項１から４のうち何れかに記載の鉄骨建方方法。
【請求項６】
請求項１から５のうち何れかに記載の鉄骨建方方法で使用される複数の足場板をユニット化した吊足場ユニット。
【発明の詳細な説明】
【技術分野】
【０００１】
本発明は、鉄骨造の建物における吊足場を用いた鉄骨建方方法及び鉄骨建方の際に使用する吊足場ユニットに関する。
【背景技術】
【０００２】
従来より、アトリウムや、体育館、劇場等の大空間を有する立門の屋根、天井工事における作業足場として、吊足場が用いられている。このような吊足場の組立、解体作業は高所作業が多く、また、高所への足場材の搬入・搬出に手間がかかる。
【０００３】
そこで、例えば、特許文献１には、地上で吊足場をユニット化し、吊足場ユニットを組立てて、この足場ユニットを揚重装置により吊り上げることにより、高所作業を減らし、吊足場を効率よく構築する方法が記載されている。
【特許文献１】特開平９―３１０４８４号公報
【発明の開示】
【発明が解決しようとする課題】
【０００４】
しかしながら、上記の方法では、足場ユニットを揚重する際に、屋根架構を構成する小梁やブレースが障害となるため、鉄骨建方で用いた揚重装置を用いることができない。このため、鉄骨梁に取り付けたウインチにより足場ユニットを揚重している。しかしながら、このようにウインチを用いる方法では、足場ユニットを多数揚重する場合に、ウインチの盛替え作業を何度も行わなければならないため、非常に手間がかかる。
【０００５】
本発明は、上記の問題に鑑みなされたものであり、足場ユニットを用いて吊足場を構築する際の施工性を向上することである。
【課題を解決するための手段】
【０００６】
本発明の鉄骨建方方法は、鉄骨柱と、前記鉄骨柱間に掛け渡された大梁と、前記大梁間に掛け渡された小梁とを備えた鉄骨造の柱梁架構を構築する鉄骨建方方法であって、揚重機により前記鉄骨柱及び前記大梁を建て込む柱大梁建込工程と、揚重機により複数の足場板をユニット化した足場ユニットを揚重し、前記建て込んだ大梁に前記足場ユニットを吊り下る足場ユニット吊下工程と、前記小梁を前記大梁間に掛け渡す小梁設置工程と、を備えることを特徴とする。
【０００７】
また、本発明の鉄骨建方方法は、鉄骨柱と、前記鉄骨柱間に掛け渡された大梁と、前記大梁間に掛け渡された小梁とを備えた鉄骨造の柱梁架構を構築する鉄骨建方方法であって、揚重機により前記鉄骨柱及び前記大梁を建て込む柱大梁建込工程と、揚重機により一部の前記小梁を前記大梁間に掛け渡す先行小梁設置工程と、揚重機により複数の足場板をユニット化した足場ユニットを揚重し、前記建て込んだ大梁に前記足場ユニットを吊り下る足場ユニット吊下工程と、残りの前記小梁を前記大梁間に掛け渡す小梁設置工程と、を備えることを特徴とする。
【０００８】
上記の鉄骨建方方法において、前記足場ユニット吊下工程では、掛け渡していない前記小梁を前記足場板上に載せた状態で前記足場ユニットを揚重してもよい。
また、前記小梁設置工程の後に前記足場ユニット上で設備工事を行う設備工事工程を備え、前記足場ユニット吊下工程では、前記設備工事工程において用いられる設備材料を、前記足場板上に載せた状態で前記足場ユニットを揚重してもよい。
【０００９】
また、前記足場ユニットは、当該足場ユニット全体を下方から覆うようにネットが取り付けられていてもよい。
また、本発明は、上記の鉄骨建方方法で使用される複数の足場板をユニット化した吊足場ユニットを含む。
【発明の効果】
【００１０】
本発明によれば、小梁を取り付ける前に吊足場ユニットを揚重することにより、大梁の間を通して揚重することが可能となるため、鉄骨柱や大梁の建て込みに用いた揚重装置を吊足場ユニットの揚重に用いることができる。
【発明を実施するための最良の形態】
【００１１】
以下、本発明の鉄骨建方方法の一実施形態を図面を参照しながら詳細に説明する。なお、本実施形態では、大梁及び一部の小梁を掛け渡し、吊足場ユニットを大梁及び一部の小梁に吊り下げた後、残りの小梁を掛け渡す場合について説明する。
図１は、本実施形態の鉄骨建方方法に用いられる足場ユニット１０を示す図であり、（Ａ）は平面図、（Ｂ）は同図（Ａ）におけるＢ方向から見た側面図、（Ｃ）は同図（Ａ）におけるＣ方向から見た側面図である。同図に示すように、本実施形態の足場ユニット１０は、図１（Ａ）において縦方向に伸びるように所定の間隔をあけて配置された角鋼管１２と、角鋼管１２上に対して垂直方向（図中横方向）に延びるように取り付けられた複数の単管パイプ１３と、角鋼管１２と並行（図中縦方向）に延びるように単管パイプ１３上に取り付けられた足場板１１と、各鋼管１２に所定の間隔で取り付けられた吊チェーン１４と、下方から覆うように取り付けられた水平ネット１５と、から構成される。
【００１２】
角鋼管１２及び単管パイプ１３は、従来、吊足場に用いられていた材料に比べて高強度のものが用いられている。このため、本実施形態の吊足場ユニット１０は、その強度が向上されており、従来の足場ユニットに比べて、より大きな荷重を積載することができる。
【００１３】
以下、本発明の吊足場ユニット１０を用いた鉄骨建方方法を説明する。
図２は、鉄骨建方方法により構築される鉄骨柱梁架構２０を示す図であり、（Ａ）は平面図、（Ｂ）は同図（Ａ）におけるＢ方向から見た側面図、（Ｃ）は同図（Ａ）におけるＣ方向から見た側面図である。同図に示すように、鉄骨柱梁架構２０は大空間を有する建物の構造体であり、長手方向に所定の間隔をあけて並ぶように立設された鉄骨柱２１と、鉄骨柱２１間を結ぶように設けられたトラス架構からなる大梁２２Ａ，２２Ｂと、対向する大梁２２Ａ，２２Ｂの間を結ぶように掛け渡された小梁２３Ａ，２３Ｂと、大梁２２Ａ，２２Ｂ及び小梁２３Ａ，２３Ｂにより形成された矩形の空間内に対角線上に取り付けられたブレース２４とから構成される。
【００１４】
以下、本実施形態の鉄骨建方方法を、図３に示すフローチャートとともに、図４〜図８を参照しながら説明する。
同図に示すように、まず、ＳＴＥＰ１において、地上で吊足場ユニット１０を地組みする。
次に、ＳＴＥＰ２において、クレーンを用いて、図４に示すように、鉄骨柱２１を建て込み、鉄骨柱２１間に大梁２２Ａ、２２Ｂを取り付ける。さらに、対向する大梁２２Ａの間に小梁２３Ｂを取り付ける。
【００１５】
次に、ＳＴＥＰ３において、図５に示すように、複数の吊足場ユニット１０を順次揚重し、大梁２２Ａ，２２Ｂ又は小梁２３Ｂより吊り下げていく。そして、隣接する足場ユニット１０同士を連結する。図６は、大梁２２Ａ，２２Ｂ又は小梁２３Ｂより吊り下げられた状態の吊足場ユニット１０を示す図である。同図に示すように、吊足場ユニット１０は吊チェーン１４を大梁２２Ａに取り付けることにより吊り下げることができる。
【００１６】
ここで、吊足場ユニット１０を揚重する際には、足場板１１上に後述するＳＴＥＰ４において取り付ける小梁２２Ａ及びＳＴＥＰ５における設備配管工事に用いる設備用配管やダクト等の設備材料３０を載せておき、小梁２２Ａ及び設備材料３０を載せた状態で揚重する。このとき、足場板１１には小梁２２Ａ及び設備材料３０の荷重がかかるが、上記のように、吊足場ユニット１０を構成する角鋼管１２、及び単管パイプ１３として、従来吊足場を構成する角鋼管や単管パイプに比べて高強度のものを用いているため、その荷重を支持することができる。
【００１７】
また、小梁２３Ａやブレース２４が取り付けられる前に吊足場ユニット１０を揚重するので、大梁２２Ａ，２２Ｂ及び小梁２３Ｂの間を通して吊足場ユニット１０を揚重することができる。このため、吊足場ユニット１０を揚重を、ＳＴＥＰ２において鉄骨柱２１、大梁２２Ａ、２２Ｂ及び小梁２３Ｂの揚重に用いたクレーンにより行うことができる。
【００１８】
次に、ＳＴＥＰ４において、吊足場ユニット１０の足場板１１上に載せて揚重した小梁２３Ａを大梁２２Ａ間に取り付ける。これにより、図７に示すように、鉄骨柱梁架構２０の構築が完了する。このように小梁２３Ａを足場板１１上に載せて揚重しており、また、予め、吊足場ユニット１０の下方を覆うようにネット１５が取り付けられているため、吊足場ユニット１０設置後、ネットの取り付け作業を行うことなく、すぐに、ＳＴＥＰ４の工程を行うことができる。
【００１９】
次に、ＳＴＥＰ５において、図８に示すように、足場板１１上の設備材料３０を用いて設備配管工事を行う。なお、この際、吊足場ユニット１０の下方の地上において土間工事などの作業を並行して行ってもよい。
上記の設備配管工事が完了した後、ＳＴＥＰ６において、高所作業車を用いて、吊足場ユニット１０を地上に降ろし、解体する。
【００２０】
以上説明したように、本実施形態の吊足場ユニット１０を用いた鉄骨建方方法によれば、小梁２３Ａを取り付ける前に吊足場ユニット１０を揚重するため、大梁２２Ａ，２２Ｂの間を通して、吊足場ユニット１０を配置することができる。このため、鉄骨柱２１や大梁２２Ａ、２２Ｂの建方に使用した揚重装置を吊足場ユニット１０の揚重に使用することができるため、ウインチなどの揚重装置を用意する必要がなく、施工の手間を削減することができる。
【００２１】
また、従来、吊足場ユニット１０の解体時には、吊足場の下方に取り付けたネットを取り外した後、吊足場を解体して、吊足場を構成する部材を地上に下ろしていたため、部材の落下等の可能性があったが、本実施形態では、高所で解体せずに地上で解体することとし、また、吊足場ユニット１０を下方より覆うようにネット１５を取り付けておくことで、落下を防止でき、安全性を向上することができる。
【００２２】
また、小梁２３Ａや設備材料３０を足場板１１上に載せた状態で吊足場ユニット１０を揚重することで、別途これらの部材を揚重する必要がなくなるため手間を削減することができ、また、吊足場ユニット１０を大梁２２Ａ，２２Ｂや小梁２３Ｂに吊り下げた後、すぐに、小梁２３Ａの取り付け、設備配管工事を行うことができるため、施工期間を短縮できる。さらに、小梁２３Ａの取り付け作業を吊足場ユニット１０上で行うことができるため、安全性が向上するとともに、施工期間を短縮できる。
【００２３】
なお、本実施形態では、小梁及び設備ダクトを吊足場ユニット１０の足場板１１上に載せた状態で吊足場ユニット１０を揚重するものとしたが、必ずしも、これらを載せた状態で揚重する必要はなく、施工計画上、足場板１１上に各種材料があると施工の障害になるような場合には、吊足場ユニット１０を取り付けた後、別途揚重するものとしてもよい。
【００２４】
また、本実施形態では、ＳＴＥＰ３の吊足場ユニット１０を揚重する前に、一部の小梁２３Ｂを取り付け、吊足場ユニット１０を揚重した後に残りの小梁２３Ａを取り付けることとしたが、これに限らず、大梁２２Ａ，２２Ｂに吊足場ユニット１０を吊り下げ可能である場合には、吊足場ユニット１０を揚重した後に全ての小梁を取り付けることとしてもよい。
【図面の簡単な説明】
【００２５】
【図１】本実施形態の鉄骨建方方法に用いられる足場ユニットを示す図であり、（Ａ）は平面図、（Ｂ）は同図（Ａ）におけるＢ方向から見た側面図、（Ｃ）は同図（Ａ）におけるＣ方向から見た側面図である。
【図２】鉄骨建方方法により構築される鉄骨柱梁架構を示す図であり、（Ａ）は平面図、（Ｂ）は同図（Ａ）におけるＢ方向から見た側面図、（Ｃ）は同図（Ａ）におけるＣ方向から見た側面図である。
【図３】本実施形態の鉄骨建方方法の流れを示すフローチャートである。
【図４】鉄骨柱及び大梁が建て込まれた状態を示す平面図である。
【図５】吊足場ユニットを揚重し、大梁又は小梁に吊下げている状態を示す平面図である。
【図６】大梁又は小梁より吊り下げられた状態の吊足場ユニットを示す側面図である。
【図７】鉄骨柱梁架構の構築が完了した状態を示す平面図である。
【図８】設備配管工事を行っている様子を示す側面図である。
【符号の説明】
【００２６】
１０  吊足場ユニット
１１  足場板
１２  角鋼管
１３  単管パイプ
１４  吊チェーン
１５  ネット
２０  鉄骨柱梁架構
２１  鉄骨柱
２２Ａ，２２Ｂ  大梁
２３Ａ，２３Ｂ  小梁
２４  ブレース
３０  設備材料
【図１】
2009084920.tif 000003
【図２】
2009084920.tif 000004
【図３】
2009084920.tif 000005
【図４】
2009084920.tif 000006
【図５】
2009084920.tif 000007
【図６】
2009084920.tif 000008
【図７】
2009084920.tif 000009
【図８】
2009084920.tif 000010